【手続補正書】
【提出日】平成28年11月7日(2016.11.7)
【手続補正１】
【補正対象書類名】特許請求の範囲
【補正対象項目名】全文
【補正方法】変更
【補正の内容】
【特許請求の範囲】
【請求項１】
帯域外ワイヤレス通信ネットワークを介してデバイスを認証するためのワイヤレス充電器であって、
充電デバイスに対して、第1のレベルで電力をワイヤレスに送信するように構成された電力送信機であって、前記第1のレベルでの前記電力の前記送信は、情報が前記充電デバイスから受信される前に始まる、電力送信機と、
前記充電デバイスを認証するために使用される認証情報を含む認証要求を送信するように構成された帯域外送信機と、
前記送信された認証要求に応答して認証応答を受信するように構成された受信機と、
前記認証が成功した場合、前記第1のレベルよりも高いレベルまで、前記充電デバイスにワイヤレスに送信される前記電力の量を調整するように構成されたプロセッサと
を含むワイヤレス充電器。
【請求項２】
前記受信機が、公開鍵、秘密鍵、公開鍵証明書、デジタル署名、セキュリティトークン、および一意の製造業者識別子のうちの少なくとも1つを受信するようにさらに構成される、請求項1に記載のワイヤレス充電器。
【請求項３】
前記認証が失敗した場合、前記プロセッサが、前記充電デバイスへの電力のワイヤレスでの前記送信を終了するようにさらに構成される、請求項1に記載のワイヤレス充電器。
【請求項４】
前記認証が失敗した場合、前記充電デバイスにワイヤレスに送信される前記電力の量が、前記第1のレベルのままである、請求項1に記載のワイヤレス充電器。
【請求項５】
前記プロセッサが、前記受信された認証応答を記憶された値と比較するようにさらに構成され、前記受信された認証応答と前記記憶された値とが一致する場合、前記認証が成功する、請求項1に記載のワイヤレス充電器。
【請求項６】
前記受信機が、前記充電デバイスに記憶された認証キーを受信するようにさらに構成される、請求項1に記載のワイヤレス充電器。
【請求項７】
前記受信機が、認証デバイスに記憶された結合キーを受信するようにさらに構成され、前記認証キーが、充電器技術キーおよび製造業者キーを含む、請求項6に記載のワイヤレス充電器。
【請求項８】
前記プロセッサが、前記充電器技術キーを第1の記憶された値と比較し、前記製造業者キーを第2の記憶された値と比較するようにさらに構成され、前記充電器技術キーと前記第1の記憶された値とが一致する場合、前記充電デバイスが適合し、前記製造業者キーと前記第2の記憶された値とが一致する場合、前記認証が成功する、請求項7に記載のワイヤレス充電器。
【請求項９】
前記受信機が、前記受信された認証要求に基づいて、前記充電デバイスによって生成された認証キーを受信するようにさらに構成される、請求項1に記載のワイヤレス充電器。
【請求項１０】
前記帯域外送信機が、前記充電デバイスにメッセージを送信するようにさらに構成され、前記メッセージを受信した後、前記充電デバイスによってとられたアクションに基づいて、前記認証が成功または失敗する、請求項1に記載のワイヤレス充電器。
【請求項１１】
前記帯域外ワイヤレス通信ネットワークが通信のためにBluetooth(登録商標)プロトコルを使用する、請求項1に記載のワイヤレス充電器。
【請求項１２】
帯域外ワイヤレス通信ネットワークを介してデバイスを認証するための方法であって、
充電デバイスに対して、第1のレベルで電力をワイヤレスに送信するステップであって、前記第1のレベルでの前記電力の前記送信は、情報が前記充電デバイスから受信される前に始まる、ステップと、
前記帯域外ワイヤレス通信ネットワークを介して、前記充電デバイスを認証するために使用される認証情報を含む認証要求を送信するステップと、
前記送信された認証要求に応答して認証応答を受信するステップと、
前記認証が成功した場合、前記第1のレベルよりも高いレベルまで、前記充電デバイスにワイヤレスに送信される前記電力の量を調整するステップと
を含む方法。
【請求項１３】
認証応答を受信するステップが、公開鍵、秘密鍵、公開鍵証明書、デジタル署名、セキュリティトークン、および一意の製造業者識別子のうちの少なくとも1つを受信するステップを含む、請求項12に記載の方法。
【請求項１４】
前記充電デバイスにワイヤレスに送信される電力の量を調整するステップが、前記認証が失敗した場合、前記充電デバイスへの電力のワイヤレスでの前記送信を終了するステップを含む、請求項12に記載の方法。
【請求項１５】
前記認証が失敗した場合、前記充電デバイスにワイヤレスに送信される前記電力の量が、前記第1のレベルのままである、請求項12に記載の方法。
【請求項１６】
前記受信された認証応答を記憶された値と比較するステップをさらに含み、前記受信された認証応答と前記記憶された値とが一致する場合、前記認証が成功する、請求項12に記載の方法。
【請求項１７】
認証応答を受信するステップが、前記充電デバイスに記憶された認証キーを受信するステップを含む、請求項12に記載の方法。
【請求項１８】
前記充電デバイスに記憶された認証キーを受信するステップが、認証デバイスに記憶された結合キーを受信するステップを含み、前記認証キーが、充電器技術キーおよび製造業者キーを含む、請求項17に記載の方法。
【請求項１９】
前記充電器技術キーを第1の記憶された値と比較し、前記製造業者キーを第2の記憶された値と比較するステップをさらに含み、前記充電器技術キーと前記第1の記憶された値とが一致する場合、前記充電デバイスが適合し、前記製造業者キーと前記第2の記憶された値とが一致する場合、前記認証が成功する、請求項18に記載の方法。
【請求項２０】
認証応答を受信するステップが、前記受信された認証要求に基づいて、前記充電デバイスによって生成された認証キーを受信するステップを含む、請求項12に記載の方法。
【請求項２１】
前記充電デバイスにメッセージを送信するステップをさらに含み、前記メッセージを受信した後、前記充電デバイスによってとられたアクションに基づいて、前記認証が成功または失敗する、請求項12に記載の方法。
【請求項２２】
前記帯域外ワイヤレス通信ネットワークが通信のためにBluetooth(登録商標)プロトコルを使用する、請求項12に記載の方法。
【請求項２３】
帯域外ワイヤレス通信ネットワークを介してデバイスを認証するための装置であって、
充電デバイスに対して、第1のレベルで電力をワイヤレスに送信するための手段であって、前記第1のレベルでの前記電力の前記送信は、情報が前記充電デバイスから受信される前に始まる、手段と、
前記帯域外ワイヤレス通信ネットワークを介して、前記充電デバイスを認証するために使用される認証情報を含む認証要求を送信するための手段と、
前記送信された認証要求に応答して認証応答を受信するための手段と、
前記認証が成功した場合、前記第1のレベルよりも低いレベルまで、前記充電デバイスにワイヤレスに送信される前記電力の量を調整するための手段と
を含む装置。
【請求項２４】
認証応答を受信するための前記手段が、公開鍵、秘密鍵、公開鍵証明書、デジタル署名、セキュリティトークン、および一意の製造業者識別子のうちの少なくとも1つを受信するための手段を含む、請求項23に記載の装置。
【請求項２５】
前記充電デバイスにワイヤレスに送信される電力の量を調整するための前記手段が、前記認証が失敗した場合、前記充電デバイスへの電力のワイヤレスでの前記送信を終了するための手段を含む、請求項23に記載の装置。
【請求項２６】
前記認証が失敗した場合、前記充電デバイスにワイヤレスに送信される前記電力の量が、前記第1のレベルのままである、請求項23に記載の装置。
【請求項２７】
前記受信された認証応答を記憶された値と比較するための前記手段をさらに含み、前記受信された認証応答と前記記憶された値とが一致する場合、前記認証が成功する、請求項23に記載の装置。
【請求項２８】
認証応答を受信するための前記手段が、前記充電デバイスに記憶された認証キーを受信するための手段を含む、請求項23に記載の装置。
【請求項２９】
前記充電デバイスに記憶された認証キーを受信するための前記手段が、認証デバイスに記憶された結合キーを受信するための手段を含み、前記認証キーが、充電器技術キーおよび製造業者キーを含む、請求項28に記載の装置。
【請求項３０】
前記充電器技術キーを第1の記憶された値と比較し、前記製造業者キーを第2の記憶された値と比較するための手段をさらに含み、前記充電器技術キーと前記第1の記憶された値とが一致する場合、前記充電デバイスが適合し、前記製造業者キーと前記第2の記憶された値とが一致する場合、前記認証が成功する、請求項29に記載の装置。
【請求項３１】
認証応答を受信するための前記手段が、前記受信された認証要求に基づいて、前記充電デバイスによって生成された認証キーを受信するための手段を含む、請求項23に記載の装置。
【請求項３２】
前記充電デバイスにメッセージを送信するための手段をさらに含み、前記メッセージを受信した後、前記充電デバイスによってとられたアクションに基づいて、前記認証が成功または失敗する、請求項23に記載の装置。
【請求項３３】
前記帯域外ワイヤレス通信ネットワークが通信のためにBluetooth(登録商標)プロトコルを使用する、請求項23に記載の装置。
【請求項３４】
電力を送信するための前記手段が送信機を含み、認証要求を送信するための前記手段が帯域外送信機を含み、受信するための前記手段が受信機を含み、調整するための前記手段がプロセッサを含む、請求項23に記載の装置。
【請求項３５】
コードを含む非一時的コンピュータ可読記録媒体であって、前記コードは、実行されたときに、装置に、
充電デバイスに対して、第1のレベルで電力をワイヤレスに送信させ、前記第1のレベルでの前記電力の前記送信は、情報が前記充電デバイスから受信される前に始まり、
前記コードは、実行されたときに、前記装置に、
帯域外ワイヤレス通信ネットワークを介して、前記充電デバイスを認証するために使用される認証情報を含む認証要求を送信させ、
前記送信された認証要求に応答して認証応答を受信させ、
前記認証が成功した場合、前記第1のレベルよりも高いレベルまで、前記充電デバイスにワイヤレスに送信される前記電力の量を調整させる
非一時的コンピュータ可読記録媒体。
【請求項３６】
実行されたときに、装置に、公開鍵、秘密鍵、公開鍵証明書、デジタル署名、セキュリティトークン、および一意の製造業者識別子のうちの少なくとも1つを受信させるコードをさらに含む、請求項35に記載の媒体。
【請求項３７】
実行されたときに、装置に、前記認証が失敗した場合、前記充電デバイスへの電力のワイヤレスでの前記送信を終了させるコードをさらに含む、請求項35に記載の媒体。
【請求項３８】
前記認証が失敗した場合、前記充電デバイスにワイヤレスに送信される前記電力の量が、前記第1のレベルのままである、請求項35に記載の媒体。
【請求項３９】
実行されたときに、装置に、前記受信された認証応答を記憶された値と比較させるコードであり、前記受信された認証応答と前記記憶された値とが一致する場合、前記認証が成功する、コードをさらに含む、請求項35に記載の媒体。
【請求項４０】
実行されたときに、装置に、前記充電デバイスに記憶された認証キーを受信させるコードをさらに含む、請求項35に記載の媒体。
【請求項４１】
実行されたときに、装置に、認証デバイスに記憶された結合キーを受信させるコードであり、前記認証キーが、充電器技術キーおよび製造業者キーを含む、コードをさらに含む、請求項40に記載の媒体。
【請求項４２】
実行されたときに、装置に、前記充電器技術キーを第1の記憶された値と比較させ、前記製造業者キーを第2の記憶された値と比較させるコードであり、前記充電器技術キーと前記第1の記憶された値とが一致する場合、前記充電デバイスが適合し、前記製造業者キーと前記第2の記憶された値とが一致する場合、前記認証が成功する、コードをさらに含む、請求項41に記載の媒体。
【請求項４３】
実行されたときに、装置に、前記受信された認証要求に基づいて、前記充電デバイスによって生成された認証キーを受信させるコードをさらに含む、請求項35に記載の媒体。
【請求項４４】
実行されたときに、装置に、前記充電デバイスにメッセージを送信させるコードであり、前記メッセージを受信した後、前記充電デバイスによってとられたアクションに基づいて、前記認証が成功または失敗する、コードをさらに含む、請求項35に記載の媒体。
【請求項４５】
実行されたときに、装置に、Bluetooth(登録商標)プロトコルを使用して認証要求を送信させるコードをさらに含む、請求項35に記載の媒体。